(57)【要約】      （修正有）【課題】一定照度以下の暗い時間帯や空間において、一定の明るさの照明が常になされるようにする照明装置を提供する。【解決手段】明るさ調節可能なランプユニット４００と、前記ランプユニット周辺の照度を感知する照度センサー２０１及び物体の動きを感知する感知センサー２０２と、前記ランプユニットに電力を供給する電力供給ユニット５００とを含み、前記照度センサーと前記感知センサーによって感知された信号により前記ランプユニットに供給される電力を調節して、ランプユニット全体の明るさを調節するように構成され、また、予め設定された照度以上の照度が感知されると前記ランプユニットをオフさせ、予め設定された照度以下の照度が感知されると前記ランプユニットを予め設定された最小の明るさにオンさせるように構成され、さらに、前記感知センサーによって信号が感知されると、前記ランプユニットの明るさが最大となるようにオンさせる。【選択図】図３
2014060162.tif 000002
【特許請求の範囲】
【請求項１】
建物の事務室、廊下、階段、玄関又は地下駐車場に装着されて使用される照明装置において、
明るさの調節が可能なランプユニットと、
前記ランプユニット周辺の照度を感知する照度センサー及び物体の動きを感知する感知センサーにより構成されるセンサーユニットと、
前記ランプユニットに電力を供給する電力供給ユニットと、
前記ランプユニット、前記センサーユニット及び前記電力供給ユニットの動作を制御する制御部と、
を含み、
前記ランプユニットは、
前記制御部が前記電力供給ユニットを制御して供給電力を調節することにより明るさが変わるように構成され、
前記制御部は、
前記照度センサー及び前記感知センサーによって感知された信号により前記ランプユニットに供給される電力を調節してランプユニット全体の明るさを調節するように構成され、
予め設定された照度以上の照度が前記照度センサーから感知されると、前記ランプユニットをオフさせ、予め設定された照度以下の照度が前記照度センサーから感知されると、前記ランプユニットを予め設定された最小の明るさにオンさせるように構成され、
前記感知センサーによって信号が感知されると、前記ランプユニットの明るさが最大となるようにオンさせ、また、感知された物体の移動によって感知信号が感知されなくなった場合、前記ランプユニットの明るさを所定の設定された時間に従って順次落として設定された最小の明るさに到達するようにすることにより、照度の低い場所や時間帯にも、常に一定の明るさの照明がなされるように構成される
ことを特徴とする照明装置。
【請求項２】
建物の事務室、廊下、階段、玄関又は地下駐車場に装着されて使用される照明装置において、
明るさの調節が可能なランプユニットと、
物体の動きを感知する感知センサーにより構成されるセンサーユニットと、
前記ランプユニットに電力を供給する電力供給ユニットと、
前記ランプユニット、前記センサーユニット及び前記電力供給ユニットの動作を制御する制御部と、
を含み、
前記ランプユニットは、
前記制御部が前記電力供給ユニットを制御して供給電力を調節することによって明るさが変わるように構成され、
前記制御部は、
前記感知センサーによって感知された信号により前記ランプユニットに供給される電力を調節してランプユニット全体の明るさを調節するように構成され、
前記ランプユニットを、予め設定された最小の明るさで常にオンさせるように構成され、
前記感知センサーによって信号が感知されると、前記ランプユニットの明るさが最大となるようにオンさせ、また、感知された物体の移動によって感知信号が感知されなくなった場合に、前記ランプユニットの明るさを所定の設定された時間に従って順次落として設定された最小の明るさに到達するようにすることにより、照度の低い場所や時間帯にも、常に一定の明るさの照明がなされるように構成される
ことを特徴とする照明装置。
【発明の詳細な説明】
【技術分野】
【０００１】
本発明は、建物の事務室、廊下、階段、玄関又は駐車場等に提供される照明装置に関し、特に、暗い時間或いは場所では、常に一定の照明がなされるようにする照明装置に関する。
【背景技術】
【０００２】
現在の照明装置は、夜間に人の動きを感知して人の動きが感知された場合にのみ照明装置が点き、人が移動して感知範囲から外れると照明が消えるという方式である。図１は、従来の照明装置を示す図面であり、廊下や玄関の天井に設置されている照度センサー、焦電センサー又は超音波センサーによって数秒間点灯を行うセンサー照明等は、本体１１中央にカバー１３を結合し、本体の一側から感知センサー１２が突出して歩行者を感知するように構成されている。しかしながら、従来の照明装置は、人が感知範囲に入ってから点灯がなされるので、人が感知範囲に入ってくる前には、一時的に真っ暗な空間での不安感を感じることとなり、また、人が移動して感知範囲を外れると照明が消えるので、人が建物の空間から離れていなくても照明が消えることによる安全事故の危険があるのみならず、心理的に不安感を作り出すという問題点があった。
【発明の概要】
【発明が解決しようとする課題】
【０００３】
前記のような問題点を解決するための本発明の目的は、暗い時間や空間では常に一定の明るさの照明がなされるようにし、物体の動きが感知されると最大の明るさで照明がなされるようにする照明装置を提供することである。
【課題を解決するための手段】
【０００４】
前記目的を達成するための本発明に係る照明装置は、
複数のランプにより構成される、メインランプ及び補助ランプを含むランプユニットと、
物体の動きを感知する感知センサーにより構成されるセンサーユニットと、
前記ランプユニット及び前記センサーユニットの動作を制御する制御部と、を含み、
前記補助ランプは、常にオンとなるように動作し、前記メインランプは、感知センサーによって感知される物体の動きにより動作するよう、それぞれ独立して構成され、
前記制御部は、
前記感知センサーによって感知された信号により前記ランプユニットのオン・オフを制御して、ランプユニット全体の明るさを調節するように構成され、
前記補助ランプは常にオンさせ、前記感知センサーによって信号が感知されると、前記メインランプもオンさせ、
感知された物体の移動によって感知信号が感知されず前記メインランプをオフさせる場合に、所定の設定された時間に合わせて前記複数のメインランプを順次オフさせることにより、照度の低い場所や時間帯にも、常に一定の明るさの照明がなされるように構成されることを特徴とする。
前記目的を達成するための本発明に係る照明装置は、前記補助ランプは、複数構成され、前記制御部は、前記複数の補助ランプのうち常にオンされるランプの数を調節して常に維持される一定の明るさを多様に調節することを特徴とする。
【０００５】
前記目的を達成するための本発明に係る照明装置は、
明るさ調節可能なランプユニットと、
前記ランプユニット周辺の照度を感知する照度センサー及び物体の動きを感知する感知センサーにより構成されるセンサーユニットと、
前記ランプユニットに電力を供給する電力供給ユニットと、
前記ランプユニット、前記センサーユニット及び前記電力供給ユニットの動作を制御する制御部と、を含み、
前記ランプユニットは、
前記制御部が前記電力供給ユニットを制御して供給電力を調節することにより明るさが変わるように構成され、
前記制御部は、
前記照度センサー及び前記感知センサーによって感知された信号により前記ランプユニットに供給される電力を調節してランプユニット全体の明るさを調節するように構成され、
予め設定された照度以上の照度が前記照度センサーから感知されると、前記ランプユニットをオフさせ、予め設定された照度以下の照度が前記照度センサーから感知されると、前記ランプユニットを予め設定された最小の明るさにオンさせるように構成され、
前記感知センサーによって信号が感知されると、前記ランプユニットの明るさが最大となるようにオンさせ、また、感知された物体の移動によって感知信号が感知されなくなった場合、前記ランプユニットの明るさを所定の設定された時間に従って順次落として設定された最小の明るさに到達するようにすることにより、照度の低い場所や時間帯にも、常に一定の明るさの照明がなされるように構成されることを特徴とする。
【０００６】
前記目的を達成するための本発明に係る照明装置は、
明るさ調節可能なランプユニットと、
物体の動きを感知する感知センサーにより構成されるセンサーユニットと、
前記ランプユニットに電力を供給する電力供給ユニットと、
前記ランプユニット、前記センサーユニット及び前記電力供給ユニットの動作を制御する制御部と、を含み、
前記ランプユニットは、
前記制御部が前記電力供給ユニットを制御して供給電力を調節することによって明るさが変わるように構成され、
前記制御部は、
前記感知センサーによって感知された信号により前記ランプユニットに供給される電力を調節してランプユニット全体の明るさを調節するように構成され、
前記ランプユニットを、予め設定された最小の明るさで常にオンさせるように構成され、
前記感知センサーによって信号が感知されると、前記ランプユニットの明るさが最大となるようにオンさせ、また、感知された物体の移動によって感知信号が感知されなくなった場合に、前記ランプユニットの明るさを所定の設定された時間に従って順次落として設定された最小の明るさに到達するようにすることにより、照度の低い場所や時間帯にも、常に一定の明るさの照明がなされるように構成されることを特徴とする。
【発明の効果】
【０００７】
本発明は、物体を感知する前にも、一定照度以下の暗い空間では、常に一定の明るさの照明がなされるようにすることにより、建物の一定空間を移動する際に一時的に照明がなされないことによる安全事故を予防し、人の心理的不安感を解消することができる効果が発揮される。
【図面の簡単な説明】
【０００８】
【図１】従来の照明装置を示す図面である。
【図２】本発明の第１実施例に係る照明装置の内部構成図を示す図面である。
【図３】本発明の第２実施例に係る照明装置の内部構成図を示す図面である。
【図４】本発明の第３実施例に係る照明装置の内部構成図を示す図面である。
【発明を実施するための形態】
【０００９】
以下、添付した図面を参照しつつ、本発明に係る照明装置についてより詳細に説明する。
図２は、本発明の第１実施例に係る照明装置の内部構成図を示す図面である。
図２に示されたところのように、本発明に係る第１実施例の照明装置は、メインランプ１０１及び補助ランプ１０２を含むランプユニット１００と、物体の動きを感知する感知センサー２０２と、前記ランプユニット及び前記感知センサーの動作を制御する制御部３００とを含む。
【００１０】
ランプユニットを構成するメインランプ１０１及び補助ランプ１０２は、白熱灯、蛍光灯、ハロゲン灯、ＬＥＤ灯など、通常的なランプを多様に適用することができる。前記メインランプ及び補助ランプは、多数構成されて制御部によって制御することができる。
【００１１】
感知センサー２０２は、物体の動きを感知して、感知信号を制御部３００に伝達するよう動作する。
【００１２】
前記制御部３００は、前記感知センサーによって感知された信号により前記ランプユニットのオン・オフを制御して、ランプユニット全体の明るさを調節するように構成され、また、前記補助ランプは常にオンさせ、前記感知センサーによって信号が感知されると前記メインランプもオンさせるように構成される。かかる構成は、建物の地下駐車場のように常に暗い空間に有用であり、補助ランプは常にオンされるようにして一定の照度を維持し、メインランプは物体の感知信号によってオン或いはオフさせるように制御するものである。
【００１３】
補助ランプがオンされている状態において、物体の動きが感知されると、感知センサーの感知信号が制御部に伝達され、前記制御部は感知センサーからの信号によりメインランプをオンさせて最大の明るさの照明がなされる。
【００１４】
また、物体の移動により感知センサーの信号が感知されなくなると、メインランプはオフされるが、少なくとも補助ランプはオンとなっているため、物体がセンサーの感知範囲を外れているがその空間から完全には離れていない状態においても、補助ランプによる一定の照明がなされるようになるのである。
【００１５】
一方、メインランプを複数構成して、物体が感知されると多数のメインランプをすべてオンさせるが、物体が移動して感知範囲を外れる場合にも、メインランプを一度にオフさせるのではなく、制御部に設定された所定の時間に従って順次オフさせることにより、物体が感知範囲を外れる場合に、補助ランプのみが点灯されることよりはもう少し明るい状態を維持するとともに、物体が空間を外れたであろうと十分に予測される状況でメインランプがすべてオフされるように制御することができる。物体の移動により前記感知センサーの感知範囲を外れても、直ちにメインランプをオフさせるのではなく、設定された時間に従って時間差を置いて順次複数のランプをオフさせて、人が移動の際に、突然の照度変化によって当惑させないように制御するのである。
【００１６】
一方、補助ランプも複数構成して、物体が感知されていない場合に照明される最小の明るさを多様に設定することができる。たとえば、補助ランプを多数構成して最小の明るさを最大の明るさの２０％或いは３０％或いは５０％等、多様に設定することが可能である。照度の基準値を多様に設定し、それに合わせて最小の明るさの多様な制御が可能となるのである。
【００１７】
図３は、本発明の第２実施例に係る照明装置の内部構成図を示す図面である。
図３に示されたところのように、本発明に係る第２実施例の照明装置は、明るさ調節可能なランプユニット４００と、前記ランプユニット周辺の照度を感知する照度センサー２０１及び物体の動きを感知する感知センサー２０２により構成されるセンサーユニット２００と、前記ランプユニットに電力を供給する電力供給ユニット５００と、前記ランプユニット、前記センサーユニット及び前記電力供給ユニットの動作を制御する制御部３００とを含む。
【００１８】
照度センサー２０１は、周辺の明るさを感知して動作するセンサーであり、明るさ調節可能なランプユニット４００は、電力供給ユニットによって調節される電力供給量に応じて明るさが調節可能なランプである。電力供給ユニット５００は、制御部の制御により明るさ調節可能なランプユニットに電力を供給する構成である。
【００１９】
制御部３００は、前記照度センサーと前記感知センサーによって感知された信号により前記ランプユニットに供給される電力を調節して、ランプユニット全体の明るさを調節するように構成され、また、予め設定された照度以上の照度が前記照度センサーから感知されると前記ランプユニットをオフさせ、予め設定された照度以下の照度が前記照度センサーから感知されると前記ランプユニットを予め設定された最小の明るさにオンさせるように構成され、さらに、前記感知センサーによって信号が感知されると、前記ランプユニットの明るさが最大となるようにオンさせるように構成される。このような制御により、照度の低い場所や時間帯にも、常に一定の明るさの照明がなされる。
【００２０】
また、前記制御部は、物体の移動により前記感知センサーから感知信号が感知されなくなった場合、前記ランプユニットの明るさを設定された時間に従って順次落として設定された最小の明るさに到達するように制御することにより、物体が感知範囲を外れる場合にも、瞬間的に最小の明るさに明るさが変わるのではなく、時間をおいて順次変わるように制御することにより、安全事故が発生することなく安定的に物体の移動を可能にする。
【００２１】
図４は、本発明の第３実施例に係る照明装置の内部構成図を示す図面である。
図４に示されたところのように、本発明に係る第３実施例の照明装置は、明るさ調節可能なランプユニット４００と、物体の動きを感知する感知センサー２０２により構成されるセンサーユニットと、前記ランプユニットに電力を供給する電力供給ユニット５００と、前記ランプユニット、前記センサーユニット及び前記電力供給ユニットの動作を制御する制御部３００とを含む。
【００２２】
本発明に係る第３実施例において、制御部は、前記感知センサーによって感知された信号により前記ランプユニットに供給される電力を調節して、ランプユニット全体の明るさを調節するように構成され、また、前記ランプユニットを予め設定された最小の明るさに常にオンさせるように構成され、さらに、前記感知センサーによって信号が感知されると、前記ランプユニットの明るさが最大となるようにオンさせるように構成される。このような制御により、常に照度が低い場所、たとえば、地下駐車場のような場所において、常に一定の明るさの照明がなされるようにする。
【００２３】
また、前記制御部は、物体の移動により前記感知センサーから感知信号が感知されなくなった場合、前記ランプユニットの明るさを設定された時間に従って順次落として設定された最小の明るさに到達するように制御することは、第２実施例と同様である。
【００２４】
以上において説明した内容を通じ、当業者であれば本発明の技術思想を逸脱しない範囲内で種々の修正や変更が可能であり、また、本発明の技術的範囲は、詳細な説明に限定されるものではなく、かつ、本発明の技術的思想を逸脱しない修正及び変更がなされた内容も含まれるべきといえよう。
【符号の説明】
【００２５】
１００  ランプユニット
１０１  メインランプ
１０２  補助ランプ
２００  センサーユニット
２０１  照度センサー
２０２  感知センサー
３００  制御部
４００  明るさ調節可能なランプユニット
５００  電力供給ユニット
【図１】
2014060162.tif 000003
【図２】
2014060162.tif 000004
【図３】
2014060162.tif 000005
【図４】
2014060162.tif 000006